(57)【要約】【課題】ミキシングコンソールなどにおいて、スライドボリューム装置（フェーダ）で複数機能から特定機能を選択可能にし、複数の音響パラメータを設定する際に、直感的に判断して操作性を高める。【解決手段】スライド操作子が取り付けられる移動ブロック５１を、主移動ガイド体４１と副移動ガイド体４２で摺動自在に保持する。基板５２にブラシ接点５２ａ，５２ｂ，５２ｃ，５２ｄを取り付ける。副移動ガイド体４２の側面にＬＥＤ導線パターン４２ａ，４２ｂ，４２ｃ、ボリューム抵抗パターン４２ｄ，４２ｅを形成する。ＬＥＤ導線パターン４２ａ，４２ｂ，４２ｃ、ブラシ接点５２ａ，５２ｂ，５２ｃを介して多色ＬＥＤ素子５４に通電する。ボリューム抵抗パターン４２ｄ，４２ｅ、ブラシ接点５２ｄに通電する。非接触の場合、フラットケーブルで共通に通電する。【選択図】図１
2006093217.tif 000002
【特許請求の範囲】
【請求項１】
固定部と移動部とからなり、前記固定部に対して移動部を移動させ、前記移動部に有した操作子でパラメータを変更設定し得るようにしたパラメータ設定装置において、
前記移動部の上部に発光部を設けてなり、
前記発光部は多色発光素子を有し、
前記発光部の通電処理を、前記移動部を摺動保持する移動ガイドに対する該移動部の移動状態に応じた移動信号を検出するセンサへの導通処理と共に行うようにしたことを特徴とするパラメータ設定装置。
【請求項２】
固定部と移動部とからなり、前記固定部に対して移動部を移動させ、前記移動部に有した操作子でパラメータを変更設定し得るようにしたパラメータ設定装置において、
前記移動部に発光部を設けてなり、
前記発光部は多色発光素子を有し、
前記発光部の通電処理を、前記移動部を摺動保持する移動ガイドを介して行うことを特徴とするパラメータ設定装置。
【請求項３】
前記センサは非接触式であることを特徴とする請求項１記載のパラメータ設定装置。
【発明の詳細な説明】
【技術分野】
【０００１】
本発明は、操作子の操作でパラメータを設定するパラメータ設定装置に関し、一つの操作子に複数のパラメータを設定する機能を持たせるのに適したパラメータ設定装置に関する。
【背景技術】
【０００２】
従来、ミキシングコンソールは放送局、レコーディングスタジオ、コンサート会場等で使用され、各種の楽器やボーカル等の音声信号をプレイヤー用のモニタやミキサ用のモニタ等として出力するために、多くの信号に対して各種の制御（信号処理）を行う必要がある。このため、操作パネルには各種の多数の操作子が配設されているが、操作パネルの操作性を向上させて、操作者の負担を軽減することが要求される。
【０００３】
例えば、特開平９−１９８９５３号公報には複数のフェーダ摘みに対して、赤、緑、黄色などの如く色を異ならせ、色を識別することでフェーダ摘みの位置などがわかるようにした技術が開示されている。このように、色により視覚的に操作子を識別できると多数の操作子を操作する場合に操作者の負担を軽減することができる。
【０００４】
また、このようなミキシングコンソールのデジタル化に伴い、１つのスライドボリュームあるいは複数一組のスライドボリュームに対して、インプットレベルの調整用、マスター出力の調整用、センドレベルの調整用、あるいはグラフィックイコライザ相当の周波数毎のフィルタ特性の設定用など、様々な機能を兼ねさせる仕様が増えてきている。
【０００５】
また、電子楽器の分野で、ドローバー（スライドボリューム）で音色を設定したり、音量等の楽音パラメータをスライド型操作子（スライドボリューム）で演奏前や演奏中に設定することも広く行われており、操作パネル上の該ボリュームとして、スライドボリュームが使用されている。そして、このようなボリュームを複数のパラメータ設定に移用することも考えられる。
【特許文献１】特開平９−１９８９５３号公報
【発明の開示】
【発明が解決しようとする課題】
【０００６】
前記のように、１つのスライドボリュームあるいは複数一組のスライドボリュームに対して、複数の機能を兼ねさせるような場合、そのスライドボリュームがどのような機能に設定されているかを把握する必要があるが、前記従来の技術では、フェーダ摘みの色は固定されており、設定された機能までを把握することはできない。
【０００７】
本発明は、操作子の操作でパラメータを設定するパラメータ設定装置において、操作子に設定された機能を直感的かつ容易に把握できるようにした構造のパラメータ設定装置を提供することを課題とする。
【課題を解決するための手段】
【０００８】
請求項１のパラメータ設定装置は、操作子は固定部に対して移動部を移動させ、これによってパラメータを変更設定し得る。この移動部の上部に多色発光素子を有する発光部を設け、この発光部で該操作子に設定された機能を発光色で容易に識別できるようにする。この発光部への通電処理と操作に応じた移動部の移動状態に応じた移動信号を検出するセンサへの通電処理とを共通の通電処理とするようにした。これにより、通電部を一つにまとめることができるので、装置構成が簡易化される。
【０００９】
共通の通電処理としては、例えばセンサが摺動体からなる接触式の場合は、「移動ガイド」に摺動通電部を共に設け、これを介してセンサと多色発光素子とで共通に通電する。また、センサが非接触の場合、「移動部」に接続されるリード線を介してセンサと多色発光素子とで近接または共通にして通電する。
【００１０】
請求項２のパラメータ設定装置は、パラメータを設定する操作子は固定部に対して移動部を移動させることによってパラメータを変更設定し得る。この移動部の上部に多色発光素子を有する発光部を設け、この発光部で該操作子に設定された機能を発光色で容易に識別できるようにする。この発光部への通電処理を移動部を摺動保持する移動ガイドを介して行う。これにより、例えばセンサが摺動体からなる接触式の場合に移動ガイドにおいて通電部を一つにまとめることができるので、装置構成が簡易化される。
【００１１】
請求項３のパラメータ設定装置は、請求項１に加えて、センサを非接触式とした。そして、例えば「移動部」に接続されるリード線を介してセンサと多色発光素子とで近接または共通にして通電する。
【発明の効果】
【００１２】
請求項１のパラメータ設定装置によれば、操作子の操作でパラメータを設定するパラメータ設定装置において、発光部で操作子に設定された機能を発光色で容易に識別し得るようにしたので、現在選択されている機能を色で直感的に把握できるので、素早い操作ができて操作性が高まるとともに、通電部を一つにまとめることができるので、装置構成が簡易化される。
【００１３】
請求項２のパラメータ設定装置によれば、請求項１と同様に、現在選択されている機能を色で直感的に把握できるので、素早い操作ができて操作性が高まるとともに、移動ガイドにより通電部を一つにまとめることができるので、装置構成が簡易化される。
【００１４】
請求項３のパラメータ設定装置によれば、請求項１と同様な効果が得られるとともに、センサが非接触式であるので、操作子の摺動操作による経年劣化等を低減できる。さらに、非接触式のセンサからの検出信号を外部に出力するリード線等を必要とするが、例えば「移動部」に接続される上記リード線を介してセンサと多色発光素子とで近接または共通にして通電部を一つにまとめることができ、リード線の配線処理を容易にできる。
【発明を実施するための最良の形態】
【００１５】
以下、図面を参照して本発明の実施形態について説明する。図８は実施形態のスライドボリューム装置を用いたミキシングコンソールのパネル面１００の全体図である。なお、このパネル面１００の説明ではパネル面１００を正面から見た状態での上下左右で方向を示す。パネル面１００には、マイク入力やライン入力等のモノラル入力チャンネルの入力レベルを調整するボリューム操作子５０、チャンネルオンスイッチの操作ボタン６０、入力チャンネルの設置内容等を表示する液晶ディスプレイ７０、実施形態の複数のスライドボリューム装置の各々に対応する複数のスライド操作子６１からなるスライド操作子群８０等が設けられている。
【００１６】
このスライド操作子群８０は、例えば、入力信号や出力信号の周波数特性を設定するためにグラフィックイコライザのような操作をしてフィルタ特性に対応する各パラメータを設定したり、入力レベルや出力レベルを調整するフェーダとしてパラメータを設定するなど、各種のパラメータの設定に利用する。すなわち、スライド操作子群８０の機能を、複数機能の中から選択して切り換えることで多くのパラメータを設定することができる。そして、後述詳細に説明するように、スライド操作子６１の発光部の発光色により当該スライド操作子６１に現在選択されている機能を確認することができる。
【００１７】
図２はスライドボリューム装置の実施例を示す要部分解斜視図である。このスライドボリューム装置は、前記パネル面１００に対してその裏側で直角面を成す側板３１Ａ，３１Ｂと、２つのコ字状方向Ｚ，Ｙが各々直交する２つの断面コ字状のフレーム３１Ｃｕ，３１Ｃｄとにより「固定部」としてのフレーム３１が形成されている。フレーム３１Ｃｄは側板３１Ａ，３１Ｂの上端及び両端を上から囲うように取り付けられ、フレーム３１Ｃｕはこのフレーム３１Ｃｄの上に取り付けられる。そして、上側のフレーム３１Ｃｕの一端にはモータ３２が取り付けられるつともに、この上側のフレーム３１Ｃｕの両側の止め金具３１ａ，３１ｂによりフレーム３１全体が前面パネル１００の裏面に取り付けられる。なお、側板３１Ｂには後述の非接触式のスライドボリューム装置に適用されるフラットケーブル９１を引き出すためのリード線取り出し口３１１が形成されている。また、下側のフレーム３１Ｃｄの両端の端面３１ｃ，３１ｄ間には、側板３１Ａの長手方向Ｘに沿って互いに平行な第１の移動ガイド４１と第２の移動ガイド４２とが掛け渡されて取り付けられている。第１の移動ガイド４１は丸棒状の金属部材、第２の移動ガイド４２は角棒状の金属部材であり、この第１及び第２の移動ガイド４１，４２には、「移動部」の一部を構成する移動ブロック５１が該移動ガイド４１，４２の長手方向に摺動自在となるように取り付けられている。
【００１８】
フレーム３１Ｃｕの片側に配設されたモータ３２の駆動軸には駆動プーリ３２ａが取り付けられ、さらにフレーム３１Ｃｕの他端には従動プーリ３２ｂが配設されている。駆動プーリ３２ａと従動プーリ３２ｂにはタイミングベルト３２ｃが巻回されており、このタイミングベルト３２ｃの一箇所に移動ブロック５１の上部が取り付けられている。これにより、モータ３２の正逆回転により移動ブロック５１は第１及び第２の移動ガイド４１，４２に沿って往復移動する。これは、例えば該スライドボリューム装置（フェーダ）に別のチャンネルをアサインしたり別の機能にアサインしたときにそのパラメータに対応するように、スライド操作子６１の位置を自動設定するときの動作である。
【００１９】
図１は移動ブロック５１の要部斜視図であり、図２におけるＰ矢印の方から見た状態を示している。移動ブロック５１には、第１の移動ガイド４１が嵌挿される軸孔５１ａと、第２の移動ガイド４２が嵌挿される軸孔５１ｂ，５１ｂが形成され、さらに第２の動ガイド４２から離間するように軸孔５１ｂ，５１ｂよりも窪んだ面として基板収容部５１ｃが形成されている。基板収容部５１ｃには基板５２が固定されており、この基板５２には、弾性を有する導電性部材で形成しされたブラシ接点５２ａ，５２ｂ，５２ｃ，５２ｄが取り付けられている。また、３つのブラシ接点５２ａ，５２ｂ，５２ｃは導線５２ａ１，５２ｂ１，５２ｃ１に接続され、この導線５２ａ１，５２ｂ１，５２ｃ１は透孔５１ｄを通ってレバー５３に取り付けられた「多色発光素子」としての多色ＬＥＤ素子５４に接続されている。そして、図２に示したように、レバー５３には多色ＬＥＤ素子５４の上部発光面に対向する導光体６１ａを有するスライド操作子６１が取り付けられている。なお、この実施例では、移動ブロック５１とレバー５３が「移動部」を構成している。また、多色ＬＥＤ素子５４と導光体６１ａが「発光部」を構成している。
【００２０】
また、図１下の二点鎖線の吹き出し部に上図に対して左右反転して図示したように、移動ガイド４２の側面にはブラシ接点５２ａ，５２ｂ，５２ｃにそれぞれ接触するＬＥＤ導線パターン４２ａ，４２ｂ，４２ｃと、ブラシ接点５２ｄに共通に接触する導線パターン４２ｄとボリューム抵抗パターン４２ｅとが、それぞれ移動ガイド４２の長手方向の全長に亘って形成されている。このＬＥＤ導線パターン４２ａ，４２ｂ，４２ｃ及び導線パターン４２ｄは抵抗が略零の導線であり、図示しない回路に接続され、ＬＥＤ導線パターン４２ａ，４２ｂ，４２ｃに常時接触するブラシ接点５２ａ，５２ｂ，５２ｃを介して多色ＬＥＤ素子５４に駆動電流を供給する。図１の二点鎖線の吹き出し部に図示したように、多色ＬＥＤ素子５４は赤色ＬＥＤ５４ａと緑色ＬＥＤ５４ｂとで構成されており、その共通線５４１は導線５２ａ１とブラシ接点５２ａを介してＬＥＤ導線パターン４２ａに接続され、単独線５４ａ１，５４ｂ１は導線５２ｂ１，５２ｃ１及びブラシ接点５２ｂ，５２ｃを介してＬＥＤ導線パターン４２ｂ，４２ｃにそれぞれ接続される。
【００２１】
また、ボリューム抵抗パターン４２ｅは単位長当たりの所定の抵抗値を有しており、ボリューム抵抗パターン４２ｅと導線パターン４２ｄの片側一端は図示しない回路の電圧検出回路に接続されている。そして、ボリューム抵抗パターン４２ｅと導線パターン４２ｄはブラシ接点５２ｄによりこのブラシ接点５２ｄの位置で常時短絡されており、電圧検出回路側の端部からこのブラシ接点５２ｄの位置までの距離に応じて、その抵抗値を示す後述のボリューム回路Ｖ１として機能する(図３参照）。これにより、電圧検出回路で第２の移動ガイド４２に対するブラシ接点５２ｄの位置、すなわちスライド操作子６１の位置が検出される。なお、この実施例では、ボリューム抵抗パターン４２ｅとブラシ接点５２ｄが接触式の「センサ」を構成している。
【００２２】
以上のように、多色ＬＥＤ素子５４への通電処理と、ボリューム抵抗パターン４２ｄ，４２ｅ、ブラシ接点５２ｄへの通電処理とを、移動ガイド４２の側面を利用して共通に行うようにしている。したがって、導通部を一つにまとめることができ、装置構成が簡易化されている。
【００２３】
図３は上記スライドボリューム装置を用いたパラメータ設定装置の回路図である。この回路はスライドボリューム装置を複数（この例では３つ）の異なる機能に切り換え設定する回路であり、図示しない機能選択スイッチに連動するスイッチ回路ｃ１，ｃ２，ｃ３、セレクタ回路ｄ１，ｄ２を備えている。なお、図３は一つのスライドボリューム装置に対応する回路として示してあるが、前記スライド操作子群８０の複数の操作子６１に対応する複数のスライドボリューム装置についても同様の回路である。そして、機能選択スイッチで選択された同じ機能が他のスライドボリューム装置にも設定されるが、以下、一つのスライドボリューム装置について説明する。
【００２４】
スイッチ回路ｃ１，ｃ２，ｃ３の一端は接地（アース）されており、他端はセレクタ回路ｄ１の選択端子ｄ１１，ｄ１２，ｄ１３にそれぞれ接続されている。また、セレクタ回路ｄ１，ｄ２の共通接点の間にスライドボリューム装置の前記ボリューム回路Ｖ１が接続されている。セレクタ回路ｄ２の選択端子ｄ２１，ｄ２２，ｄ２３は基準電圧と利用回路２００に並列に接続されている。なお、この利用回路２００に並列に接続される信号線ｄ３，ｄ４，ｄ５は、それぞれ電圧信号を該利用回路２００において機能（１），（２），（３）に応じてそれぞれ所要の箇所にパラメータとして供給するものである。また、前記多色ＬＥＤ素子５４の赤色ＬＥＤ５４ａ，緑色ＬＥＤ５４ｂの一端は基準電圧に接続され、それぞれ他端は、抵抗ｒ１，ｒ２、スイッチ回路ｃ１，ｃ２を介してそれぞれ接地されるとともに抵抗ｒ３，ｒ４、スイッチ回路ｃ３を介して共通に接地される。抵抗ｒ〜ｒ４はＬＥＤの電流制限用抵抗である。
【００２５】
機能（１）を選択すると、スイッチ回路ｃ１がオン（閉成）されるとともに、セレクタｄ１の選択端子ｄ１１とセレクタｄ２の選択端子ｄ２１がそれぞれボリューム回路Ｖ１に接続される。機能（２）を選択すると、スイッチ回路ｃ２がオン（閉成）されるとともに、セレクタｄ１の選択端子ｄ１２とセレクタｄ２の選択端子ｄ２２がそれぞれボリューム回路Ｖ１に接続される。さらに、機能（３）を選択すると、スイッチ回路ｃ３がオン（閉成）されるとともに、セレクタｄ１の選択端子ｄ１３とセレクタｄ２の選択端子ｄ２３がそれぞれボリューム回路Ｖ１に接続される。したがって、スライドボリューム装置の操作により、ボリューム回路Ｖ１の抵抗値に応じた電圧信号が発生するが、この電圧信号は、機能（１）のとき信号線ｄ３から、機能（２）のとき信号線ｄ４から、機能（３）のとき信号線ｄ５からそれぞれ利用回路２００に供給される。
【００２６】
また、機能（１）のとき赤色ＬＥＤ５４ａのみが点灯し、機能（２）のとき緑色ＬＥＤ５４ｂのみが点灯する。また、機能（３）のときとき赤色ＬＥＤ５４ａと緑色ＬＥＤ５４ｂの両方が点灯する。これにより、スライド操作子６１の導光体６１ａは機能（１）のとき「赤色」、機能（２）のとき「緑色」、機能（３）のとき「黄色（赤＋緑）」に発光し、この導光体６１ａの発光色により、現在どの機能が選択されているかを容易に確認することができる。なお、この実施例ではスイッチ回路ｃ１，ｃ２，ｃ３が請求項４の「識別制御手段」に対応する。
【００２７】
以上の実施例では多色ＬＥＤ素子５４が赤色ＬＥＤ５４ａ，緑色ＬＥＤ５４ｂの２つのＬＥＤの場合について説明したが、赤色ＬＥＤ５４ａ、緑色ＬＥＤ５４ｂ、青色ＬＥＤ５４ｃの３色を備えた多色ＬＥＤ素子を用いてもよい。この場合、各ＬＥＤの輝度を制御することで多くの色で発色させることができ、多数の機能を選択する場合に適している。図４は多数の機能を選択する場合のパラメータ設定装置の回路図である。機能を選択する図示しない複数の操作子に対応するスイッチ回路ｓ１、ｓ２、…、ｓｎが基準電圧Ｖに並列に接続され、これらのスイッチ回路ｓ１、ｓ２、…、ｓｎのオン信号はＨレベル信号、オフ信号はＬレベル信号となり、これらのオン／オフ信号は複数ビットのビット信号としてセレクタｂ１とテーブルｂ２に入力される。なお、スイッチ回路ｓ１、ｓ２、…、ｓｎは対応する操作子により択一的にオンとなり、このビット信号は１つのビットがＨレベルで、他のビットはＬレベルとなる。
【００２８】
また、前記スライドボリューム装置によって駆動されるボリューム回路Ｖ１が基準電圧Ｖに接続され、ボリューム回路Ｖ１の抵抗値に応じた電圧信号がセレクタｂ１に入力される。セレクタｂ１の出力ｅ１、ｅ２、…、ｅｎはスイッチ回路ｓ１、ｓ２、…、ｓｎに各々対応しており、このセレクタｂ１は、スイッチ回路ｓ１、ｓ２、…、ｓｎからのビット信号により出力ｅ１、ｅ２、…、ｅｎを択一的に選択し、各機能に応じたボリューム回路Ｖ１の電圧信号を利用回路２００に供給する。
【００２９】
一方、テーブルｂ２は、スイッチ回路ｓ１、ｓ２、…、ｓｎから入力されるビット信号を例えば３ビットからなる３つのビット信号に変換する回路であり、この出力される３つのビット信号はスイッチ回路ｓ１、ｓ２、…、ｓｎで選択された機能に割り当てた色を表すビット信号となる。そしてこの３ビットの３つのビット信号は赤色ＬＥＤ５４ａ、緑色ＬＥＤ５４ｂ、青色ＬＥＤ５４ｃへの供給電流を制御する電子ボリューム回路ｖａ，ｖｂ，ｖｃにそれぞれ供給される。これにより、赤色ＬＥＤ５４ａ、緑色ＬＥＤ５４ｂ、青色ＬＥＤ５４ｃは各対応するビット信号が示す輝度で発光する。なお、この例では、各ビット信号は３ビットで“０〜７”の輝度に対応する数値データであり、赤色ＬＥＤ５４ａ、緑色ＬＥＤ５４ｂ、青色ＬＥＤ５４ｃの３色の輝度の組み合わせにより、非点灯（黒）を含めて５１２色で発光させることができる。
【００３０】
以上のスライドボリューム装置は接触式の例であるが、図５は非接触式のスライドボリューム装置の他の実施例を示す要部斜視図である。なお、この実施例と図１の実施例との違いは、移動ブロック５１′上の基板５２′に磁気式センサ７１を搭載している点、第１の移動ガイド４１′に磁極パターンＭが形成されている点、及び基板５２′にフラットケーブル９１を接続している点であり、その他の構成は図１及び図２と略同様である。したがって、この図５では要部を示すとともに、図１の実施例の要素と対応する要素に図１と同数字符号に「′」を付記する。
【００３１】
この実施例では、第１，第２の移動ガイド４１′，４２′を両方とも丸棒状の金属部材とし、この第１，第２の移動ガイド４１′，４２′に「移動部」の一部を構成する移動ブロック５１′が移動ガイド４１′，４２′の長手方向に摺動自在となるように取り付けられている。この実施例も前記側板３１Ａ，３１Ｂ、フレーム３１Ｃｕ，３１Ｃｄで構成されるフレーム３１が「固定部」である。また、移動ブロック５１′は、上辺のガイド保持部５ａの中央に矩形の空間（孔）Ｓが形成されているが、この空間Ｓは当該移動ブロック５１′の形成を容易にするものであり、なくてもよい。
【００３２】
図５の二点鎖線の吹き出し部に一部図示したように、ガイド保持部５ａの両端には該空間Ｓに貫通する保持孔５ａ１がそれぞれ形成され、この保持孔５ａ１に保持輪５１ａ′，５１ａ′が取り付けられている。ガイド保持部５ａの下面側部から下方には基板保持部５１ｃ′を有し、この基板保持部５１ｃ′の下部片側のガイド保持部５ｂには保持孔５ｂ１が形成されるとともにこの保持孔に保持輪５１ｂ′が取り付けられている。そして、第１の移動ガイド４１′が、保持輪５１ａ′，５１ａ′と空間Ｓを介してガイド保持部５ａを貫通するように嵌挿されてる。また第２の移動ガイド４２′が保持輪５１ｂ′を介してガイド保持部５ｂを貫通するように嵌挿されてる。各保持輪５１ａ′，５１ａ′，５１ｂ′の内面は滑らかに仕上げられており、移動ブロック５１′が移動ガイド４１′，４２′に沿って移動するとき滑らかに移動する。
【００３３】
基板保持部５１ｃ′には基板５２′が取り付けられ、この基板５２′には磁気式センサ７１が取り付けられている。また、基板５２′には、端子部９１ａを介してフラットケーブル９１の一端が接続されるとともに、導線５２ａ１′，５２ｂ１′，５２ｃ１′が接続されている。レバー５３′の上端には上下段違いの半円弧状のＬＥＤ保持部５ｄ１，５ｄ２が形成されており、このＬＥＤ保持部５ｄ１，５ｄ２には「多色発光素子」としての多色ＬＥＤ素子５４′が取り付けられている。導線５２ａ１′，５２ｂ１′，５２ｃ１′はガイド保持部５ａのフレーム３１Ａ用の対向部に設けた凹部５ａ２，５ａ３にゴム接着剤（引っぱれば引き剥がすことができる）にて接着係止され、ＬＥＤ保持部５ｄ２まで導かれて、多色ＬＥＤ素子５４′に接続されている。そして、レバー５３′には多色ＬＥＤ素子５４′の上部発光面に対向する導光体６１ａ′を有するスライド操作子６１′が取り付けられている。この実施例では、移動ブロック５１′とレバー５３′が「移動部」を構成している。また、多色ＬＥＤ素子５４′と導光体６１ａ′が「発光部」を構成している。導光体６１ａ′は無しとし、多色ＬＥＤ素子５４′をそのまま露出させるような構成としてもよい。
【００３４】
基板５２′上にはホール素子を含むＩＣ等で形成した磁気式センサ７１（または、ＭＲセンサ）が搭載されており、この磁気式センサ７１のセンシング面は第１の移動ガイド４１′に対して僅かなギャップ（間隔）を設けて対面している。さらに、この磁気式センサ７１の出力線と、前記多色ＬＥＤ素子５４′の導線５２ａ１′，５２ｂ１′，５２ｃ１′は、基板５２′に取り付けられたフラットケーブル９１を介して外部に接続されている。そして、このフラットケーブル９１から供給される電流により多色ＬＥＤ５４′は発光する。また、フラットケーブル９１を介して磁気式センサ７１へ通電されるとともに、この磁気式センサ７１の後述の検出信号はフラットケーブル９１を介して図示しない回路に送られる。
【００３５】
第１の移動ガイド４１′は、鉄を母材にし、ニッケル、コバルトを混合した合金で製造したものである。これにより、第１の移動ガイド４１′は、鉄そのものの性質をそのまま残すことができ、折れにくく、わずかに曲がっても元に戻るようなバネ性を有する。すなわち、折れやすいフェライト磁石そのものをガイドとするよりも、移動ガイド４１′は加圧力が加わっても折れにくく、装置の破壊を防止することができる。
【００３６】
さらに、図６に示したように、第１の移動ガイド４１′は、長手方向にＮ極とＳ極とを交互に細かく分極して磁極を多数形成した磁石となっている。例えば、磁極はＮ極とＮ極の間が１００μｍピッチ（Ｎ極とＳ極間は５０μｍ）の高分解能磁石となっている。また、磁気式センサ７１は、ホール素子を含むＩＣ等で形成したもの（または、ＭＲセンサ）であり、この磁気式センサ７１のセンシング面７１ａは第１の移動ガイド４１′の磁極面４１ａ′に対して例えば０．１〜０．２ｍｍ程度の僅かなクリアランスＣＲ（間隔）を設けて対面している。そして、この磁極面４１ａ′の磁界が磁気式センサ７１で検出され、検出信号が得られる。
【００３７】
すなわち、移動ブロック５１′の移動に伴って、磁気式センサ７１が移動ガイド４１′の磁極面４１ａ′に対して移動すると、この磁気式センサ７１は磁極面４１ａ′のＮ極とＳ極の極性の反転に対応するパルス信号を出力する。そして、このパルス信号の数により、移動ブロック５１′の移動量（長さ）を検出することができる。また、磁極面４１ａ′の磁極は例えば２列からなり、この磁極のパターン移動ガイド４１′の長手方向にその位相が１／２π相当ずれており、磁気式センサ７１は位相のずれたパルス信号を出力するので、この位相のずれの正逆の方向により、移動ブロック５１′の移動方向が判明する。あるいは、磁極パターンは位相ずれのないＮＳＮＳ…のパターンからなるもので、センサの検出極部を１／２π相当ずらして配置するようにしてもよい。さらに、移動ブロック５１′の移動前の位置の位置情報は図示しない制御回路等により常に記憶されているので、この位置情報と上記移動量及び移動方向とにより、スライドボリューム装置全体での移動ブロック５１′の位置すなわちスライド操作子６１′の位置が検出される。
【００３８】
なお、スライド操作子６１′を手動操作して移動ブロック５１′を移動（摺動）させる時、一般に図５の矢印Ｑで示す方向に移動ブロック５１′は加圧される。これに対して、磁気式センサ７１が、この磁気式センサ７１を設けた移動ブロック５１′を保持する移動ガイド４１′自体をセンシングするようになっている。したがって、仮に、強い加圧力により移動ガイド４１′が僅かに撓んで移動ブロック５１′が下がっても、上記クリアランスＣＲは常に一定になるので、加圧力による検出精度への影響を無くすことができる。上記のようなクリアランスが変動すると検出信号のレベル等が変化して検出精度が低下するが、上記実施例によりこのようなことがない。
【００３９】
さらに、図６に点線で示したように、移動ガイド４１′の磁極は、移動ガイド４１′の内部よりも磁極面４１ａ′の方が強い磁化を呈して形成されているが、この磁化の強さは小さくてよい。すなわち、クリアランスＣＲが一定なので、このクリアランスＣＲそのものを小さくすることができる。したがって、磁気式センサ７１の感度を仮にクリアランスを大とした場合と同じ感度に設定したとすると、このクリアランス大とした場合よりも着磁そのものが弱くてもよい。すなわち、磁極面４１ａ′の磁化の強さは小さくてよい。この磁化の強さは、通常の加圧力あるいは通常の操作時に、磁気式センサ７１と磁極面４１ａ′によるセンシングの不感帯や不動作域がないような最小の磁力に着磁するのみでよく、しかも強い加圧力が加えられたときでも安定したセンシングが得られる。このように、クリアランスＣＲを小にして、感度向上及び検出精度向上を実現している。なお、第２の移動ガイド４２′と移動ブロック５１′とのクリアランスは大きくても感度や精度に影響しないので、ある程度ラフに設計してもよく、コストを低減することもできる。
【００４０】
図７は移動ガイドの変形例を示す断面図である。以上の実施例の移動ガイド４１′は（Ｉ）に示した丸棒状である。（II）は断面が横に平たい長円状の棒状の形状、（III ）は断面が正方形の角棒状の形状、（IV）は断面が縦の長方形となる長尺板状の形状、（Ｖ）は断面が横の長方形となる長尺板状の形状をそれぞれ示している。移動ブロックにはこれらの移動ガイドの断面形状に整合する保持孔を設けるが、特に（IV），（Ｖ）の場合は移動ガイドは一つでよい。すなわち、第２の移動ガイド４２′は移動ブロック５１′が第１の移動ガイド４１′を軸にして回動（ローリング）するのを防ぐような補助的な役割をしている。しかし上記の（IV），（Ｖ）の場合、その一つの移動ガイドだけで移動ブロックの回動を抑えることができ、第２の移動ガイド４２′等を必要としない。
【００４１】
また、第１の移動ガイド４１′は、鉄を母材にし、ニッケル、コバルトを混合した合金で製造したので折れにくい移動ガイドともなっているが、軟鉄を上にしてその下にファライト磁石を貼り合わせて形成するようにしてもよい。このようにすると、図７に示した（II）〜（Ｖ）のいずれでも簡単に作ることができる。例えば、磁化方法も磁気式センサに向き合う面のみに磁化を施すだけでよいので、貼り合わせによって、下のファライト磁石が磁力低下となることはない。例えば、移動ガイド４１′は、下の３％くらいしか磁化させず、上面の方は殆ど磁力はない。
【００４２】
なお、上記第２の実施例において、移動ブロック５１′の下側のガイド保持部５ｂ及び保持輪５１ｂ′が第２の移動ガイド４２′の全周に嵌合する構造になっているが、この移動ガイド４２′に対して、ガイド保持部５ｂ（及び保持輪５１ｂ′）の左右両側の何れか一方が開放されていても、側板があるので移動ガイド４２′がガイド保持部５ｂから外れることがない。また、ガイド保持部５ｂ（及び保持輪５１ｂ′）の下部が開放されていてもよい。このようにすると、組み立てが容易になる。さらに、下側のガイド保持部５ｂには保持輪５１ｂ′はなくてもよい。
【００４３】
また、上記実施例のように磁気式で検出を行っているので、磁気式センサ７１のセンシング面や磁性面４１ａ′が汚れたり、クリアランス部に埃が入ったりしても検出精度が低下することがなく、汚れや埃に強いスライドボリューム装置が得られる。
【００４４】
以上のように、多色ＬＥＤ素子５４′への通電処理と、磁気式センサ７１への通電処理（及び信号の導出）とを、フラットケーブル９１により共通に行うようにしている。したがって、導通部を一つにまとめることができ、装置構成が簡易化されている。
【００４５】
また、図２に示したように、側板３１Ｂには、移動ブロック５１′の移動方向の中央（側板３１Ｂの長手方向の中央）に縦長のリード線取り出し口３１１が形成されている。そして、前記磁気式センサ７１及び多色ＬＥＤ素子５４′に接続されるフラットケーブル９１は、基板５２′から引き出して１８０°折返し、さらにリード線取り出し口３１１から側板３１Ｂの外部に引き出されている。すなわち、リード線取り出し口３１１が中央にあるので、フラットケーブル９１のリード線取り出し口３１１から内部にある部分の長さは移動ブロック５１′の全摺動範囲の略半分で良く、さらにそれを折返して配設しているので、フラットケーブル９１をケース３１内に容易に収容できる。したがって、フラットケーブル９１はリード線取り出し口３１１の部分で軽く固定することもでき、移動ブロック５１′が移動しても、側板３１Ｂの外側からみてフラットケーブル９１が、通常のプリンタのヘッドに接続されたケーブルのようにはブラブラしないので、当該スライドボリューム装置の機器内での収まりが良くなる。
【００４６】
上記の実施例は磁気式により非接触式を実現した例であるが、光学式によって非接触式としてもよい。この場合、例えば図５の例では第１の移動ガイド４１′の下面（磁性面４１ａ′相当の面）に例えば白黒のバーコード状の一定周期のパターンを２列形成し、磁気式センサ７１の変わりに発光ダイオードとフォトダイオード等で構成したフォトセンサを設け、上記白黒パターンによる２列に対応する前記位相差をもったパルス信号を検出信号として得るようにする。この光学式の場合も、多色ＬＥＤ素子５４′への通電とフォトセンサへの通電はフラットケーブル９１により行う。また、この場合にも、加圧力が生じてもフォトセンサで第１の移動ガイド４１′自体をセンシングするので、フォトセンサとパターン面とのクリアランス（ギャップ）を一定に保つことができるので、前記磁気式と同様に検出精度が確保される。
【００４７】
また、磁気式、光学式の何れの場合も、操作時にガイド保持部５ａが加圧方向（矢印Ｑ方向）のストッパとして働いて、移動ガイド４１′に対する移動ブロック５１′の加圧方向の位置がそれぞれ一定に規制されるので、操作感（摺動フィーリング）が向上するとともに、装置全体に対する垂直荷重の対策も施されたものとなる。
【００４８】
以上の磁気式、光学式による非接触式のスライドボリューム装置を用いたパラメータ設定装置の回路図も、前掲の図３，図４と同様である。但し、これらの実施例においては、図３，図４におけるボリューム回路Ｖ１は、スライドボリューム装置における磁気式センサ７１あるいはフォトセンサで得られる検出信号に応じて抵抗が設定される電子ボリュームである。そして、多色ＬＥＤ素子５４′及び導光体６１ａ′の発光色により、複数の機能のうちそのスライドボリューム装置に対して、現在どの機能が選択されているかを容易に確認することができる。
【００４９】
以上の実施例ではミキシングコンソールで音響パラメータを設定する例に説明したが、その他の機器においても、複数のパラメータを設定する場合にその機能に対応して操作子を色別で識別できるようにすることができる。
【図面の簡単な説明】
【００５０】
【図１】本発明の実施形態のスライドボリューム装置における移動ブロックの要部斜視図である。
【図２】本発明の実施形態におけるミキシングコンソールのスライドボリューム装置の要部分解斜視図である。
【図３】実施形態におけるスライドボリューム装置を用いたパラメータ設定装置の回路図である。
【図４】同スライドボリューム装置を用いたパラメータ設定装置の他の回路図である。
【図５】実施形態における非接触式のスライドボリューム装置の他の実施例を示す要部斜視図である。
【図６】実施例における磁気式センサと移動ガイドとのクリアランスを説明する図である。
【図７】実施例における移動ガイドの変形例を示す断面図である。
【図８】本発明の実施形態におけるミキシングコンソールのパネル面の全体図である。
【符号の説明】
【００５１】
３１…フレーム（固定部）、４１′，４２…移動ガイド、４２ａ，４２ｂ，４２ｃ…ＬＥＤ導線パターン、４２ｅ…ボリューム抵抗パターン（センサ）、５１，５１′…移動ブロック（移動部）、５２ｄ…ブラシ接点（センサ）、５４，５４′…多色ＬＥＤ素子（多色発光素子，発光部）、７１…磁気式センサ（センサ）、６１，６１′…スライド操作子（操作子）、６１ａ，６１ａ′…導光体（発光部）、９１…フラットケーブル、３１１…リード線取り出し口
【図１】
2006093217.tif 000003
【図２】
2006093217.tif 000004
【図３】
2006093217.tif 000005
【図４】
2006093217.tif 000006
【図５】
2006093217.tif 000007
【図６】
2006093217.tif 000008
【図７】
2006093217.tif 000009
【図８】
2006093217.tif 000010